(57)【要約】【課題】複数のビデオカメラ間で識別情報、バッテリー情報、メモリー情報、撮影設定情報、撮影開始時間情報を送受信することにより、バッテリー残量とメモリー残量に合わせて複数のビデオカメラ間で連携した撮影を行う。【解決手段】識別情報、バッテリー情報、メモリー情報を送信する機器情報送信部と、識別情報、バッテリー情報、メモリー情報を受信する機器情報受信部と、バッテリー情報とメモリー情報から、撮影可能時間を算出する撮影可能時間算出部と、撮影可能時間の最も長いビデオカメラの識別情報を特定する特定部と、バッテリー残量とメモリー残量から、撮影開始時間情報を生成する撮影開始時間情報生成部と、特定した識別情報を有するビデオカメラに、撮影設定情報と撮影開始時間情報を送信する撮影情報送信部と、撮影設定情報に基づいて撮影設定を行う撮影設定部と、撮影開始時間情報に基づいて撮影を開始する撮影開始部を設けた。【選択図】図１
2011097132.tif 000002
【特許請求の範囲】
【請求項１】
他の画像処理装置に、自身の識別情報及び撮影可能時間を送信する機器情報送信手段と、
他の一または複数の画像処理装置の識別情報及び撮影可能時間を受信する機器情報受信手段と、
前記機器情報受信手段で受信した撮影可能時間から、撮影可能時間の最も長い画像処理装置の識別情報を特定する特定手段と、
自身のバッテリー残量とメモリー残量から、撮影開始時間情報を生成する撮影開始時間情報生成手段と、
前記特定手段で特定された識別情報を有する画像処理装置に、自身の撮影設定情報及び前記撮影開始時間情報生成手段で生成した撮影開始時間情報を送信する撮影情報送信手段と
を備えることを特徴とする画像処理装置。
【請求項２】
他の画像処理装置に、自身の識別情報、バッテリー情報、及びメモリー情報を送信する機器情報送信手段と、
他の一または複数の画像処理装置の識別情報、バッテリー情報、及びメモリー情報を受信する機器情報受信手段と、
前記機器情報受信手段で受信したバッテリー情報とメモリー情報から、撮影可能時間を算出する撮影可能時間算出手段と、
前記撮影可能時間算出手段で算出した撮影可能時間から、撮影可能時間の最も長い画像処理装置の識別情報を特定する特定手段と、
自身のバッテリー残量とメモリー残量から、撮影開始時間情報を生成する撮影開始時間情報生成手段と、
前記特定手段で特定された識別情報を有する画像処理装置に、自身の撮影設定情報及び前記撮影開始時間情報生成手段で生成した撮影開始時間情報を送信する撮影情報送信手段と
を備えることを特徴とする画像処理装置。
【請求項３】
他の画像処理装置から、撮影設定情報及び撮影開始時間情報を受信する撮影情報受信手段と、
前記撮影情報受信手段で受信した撮影設定情報に基づいて撮影設定を行う撮影設定手段と、
前記撮影情報受信手段で受信した撮影開始時間情報に基づいて撮影を開始する撮影開始手段と
をさらに備えることを特徴とする、請求項１または請求項２に記載の画像処理装置。
【発明の詳細な説明】
【技術分野】
【０００１】
本発明は、複数の画像処理装置、例えばビデオカメラを用いて撮影を継続するビデオカメラに関するものである。
【背景技術】
【０００２】
従来のビデオカメラは、記録メディア、バッテリー容量、すなわち撮影時間に限界がある。撮影を継続するために、記録メディア、バッテリーを切り換えて撮影を行う場合、切り換え時に撮影を中断しなければならない。これに対して、一つのビデオカメラで複数の交換メディアや内蔵メモリーを導入して、メディア切り換え時に撮影を中断せずに撮影を継続するもの、補助バッテリーを導入して撮影を継続するものがある。また、例えば、特許文献１に記載されているように、複数のビデオカメラ間で通信を行い新たな撮影効果を得るものがある。
【先行技術文献】
【特許文献】
【０００３】
【特許文献１】特開２００３−３２４６４９号公報
【発明の概要】
【発明が解決しようとする課題】
【０００４】
しかしながら、前記従来の構成では、依然として、バッテリー容量あるいは記録メディアのため、撮影時間に限界があるという課題を有していた。また、これに対して、複数のビデオカメラを準備しておき、撮影を継続することが考えられるが、撮影者をつけて、バッテリー残量、メモリー残量を定期的に確認する必要があるという課題を有していた。
【０００５】
本発明は、前記従来の課題を解決するもので、複数のビデオカメラ間で識別情報、バッテリー情報、メモリー情報、撮影設定情報、撮影開始時間情報を送受信することにより、バッテリー残量とメモリー残量に合わせて複数のビデオカメラ間で連携した撮影を行うことができる。その結果、撮影を中断せずにしかも他の撮影者の必要なしに、同じ撮影設定で撮影を継続することができるビデオカメラを提供することを目的とする。
【０００６】
なお、前記従来の構成では、複数のビデオカメラ間で通信を行い新たな撮影効果を得るものがあるが、バッテリー残量とメモリー残量に合わせて複数のビデオカメラ間で連携した撮影を行うという本発明の目的を実現するものではない。
【課題を解決するための手段】
【０００７】
前記従来の課題を解決するために、本発明のビデオカメラは、他のビデオカメラに、自身の識別情報、バッテリー情報、及びメモリー情報を送信する機器情報送信手段と、他の一または複数のビデオカメラの識別情報、バッテリー情報、及びメモリー情報を受信する機器情報受信手段と、受信したバッテリー情報とメモリー情報から、撮影可能時間を算出する撮影可能時間算出手段と、算出した撮影可能時間から、撮影可能時間の最も長いビデオカメラの識別情報を特定する特定手段と、自身のバッテリー残量とメモリー残量から、撮影開始時間情報を生成する撮影開始時間情報生成手段と、特定された識別情報を有するビデオカメラに、自身の撮影設定情報及び生成した撮影開始時間情報を送信する撮影情報送信手段と、他のビデオカメラから、撮影設定情報及び撮影開始時間情報を受信する撮影情報受信手段と、受信した撮影設定情報に基づいて撮影設定を行う撮影設定手段と、受信した撮影開始時間情報に基づいて撮影を開始する撮影開始手段を設けることにより、バッテリー残量とメモリー残量に合わせて複数のビデオカメラ間で連携した撮影を行う。
【発明の効果】
【０００８】
以上のように、本発明のビデオカメラによれば、バッテリー残量とメモリー残量に合わせて複数のビデオカメラ間で連携した撮影を行うことができ、撮影を中断せずにしかも他の撮影者の必要なしに、同じ撮影設定で撮影を継続することができる。
【図面の簡単な説明】
【０００９】
【図１】本発明の実施の形態におけるビデオカメラの構成図
【発明を実施するための形態】
【００１０】
以下、本発明を実施するための形態について、図面を参照しながら説明する。
【実施例】
【００１１】
図１は、本発明の実施の形態におけるビデオカメラの構成図である。図１において、１０１は機器情報送信部であり、他のビデオカメラに、自身の識別情報、バッテリー情報、及びメモリー情報を送信する。１０２は機器情報受信部であり、他の一または複数のビデオカメラの識別情報、バッテリー情報、及びメモリー情報を受信する。１０３は撮影可能時間算出部であり、機器情報受信部１０２で受信したバッテリー情報とメモリー情報から、撮影可能時間を算出する。１０４は特定部であり、撮影可能時間算出部１０３で算出した撮影可能時間から、撮影可能時間の最も長いビデオカメラの識別情報を特定する。１０５は撮影開始時間情報生成部であり、自身のバッテリー残量とメモリー残量から、撮影開始時間情報を生成する。１０６は撮影情報送信部であり、特定部１０４で特定された識別情報を有するビデオカメラに、自身の撮影設定情報及び撮影開始時間情報生成部１０５で生成した撮影開始時間情報を送信する。１０７は撮影情報受信部であり、他のビデオカメラから、撮影設定情報及び撮影開始時間情報を受信する。１０８は撮影設定部であり、撮影情報受信部１０７で受信した撮影設定情報に基づいて撮影設定を行う。１０９は撮影開始部であり、撮影情報受信部１０７で受信した撮影開始時間情報に基づいて撮影を開始する。
【００１２】
次に、本発明の実施の形態によるビデオカメラの動作について図１を用いて説明する。まず、ビデオカメラＭ１は図１の構成のビデオカメラであり、ビデオカメラＭ１の機器情報送信部１０１において、識別情報Ｉ１、バッテリー情報Ｂ１、及びメモリー情報Ｄ１を送信しているとする。また、ビデオカメラＭ２は図１の構成のビデオカメラであり、ビデオカメラＭ２の機器情報送信部１０１において、識別情報Ｉ２、バッテリー情報Ｂ２、及びメモリー情報Ｄ２を送信しているとする。さらに、ビデオカメラＭ０は図１の構成のビデオカメラであり、ビデオカメラＭ０の機器情報受信部１０２において、ビデオカメラＭ１の識別情報Ｉ１、バッテリー情報Ｂ１、及びメモリー情報Ｄ１、ビデオカメラＭ２の識別情報Ｉ２、バッテリー情報Ｂ２、及びメモリー情報Ｄ２を受信しているとする。
【００１３】
次いで、ビデオカメラＭ０の撮影可能時間算出部１０３では、ビデオカメラＭ０の機器情報受信部１０２で受信したバッテリー情報Ｂ１とメモリー情報Ｄ１から、撮影可能時間ｔ１、バッテリー情報Ｂ２とメモリー情報Ｄ２から、撮影可能時間ｔ２を算出する。ただし、ｔ１  ＜  ｔ２とする。
【００１４】
次いで、ビデオカメラＭ０の特定部１０４では、ビデオカメラＭ０の撮影可能時間算出部１０３で算出した撮影可能時間ｔ１と撮影可能時間ｔ２から、撮影可能時間が最も長いｔ２であるビデオカメラの識別情報Ｉ２を特定する。
【００１５】
次いで、ビデオカメラＭ０の撮影開始時間情報生成部１０５では、ビデオカメラＭ０のバッテリー残量とメモリー残量から、撮影開始時間情報Ｔ０を生成する。
次いで、ビデオカメラＭ０の撮影情報送信部１０６では、ビデオカメラＭ０の特定部１０４で特定された識別情報Ｉ２を有するビデオカメラＭ２に、ビデオカメラＭ０の撮影設定情報Ｃ０及びビデオカメラＭ０の撮影開始時間情報生成部１０５で生成した撮影タイミング情報Ｔ０を送信する。
次いで、ビデオカメラＭ２の撮影情報受信部１０７では、ビデオカメラＭ０の撮影情報送信部１０６から送信された撮影設定情報Ｃ０及び撮影タイミング情報Ｔ０を受信する。
次いで、ビデオカメラＭ２の撮影設定部１０８では、ビデオカメラＭ２の撮影情報受信部１０７で受信した撮影設定情報Ｃ０に基づいて撮影設定を行う。
次いで、ビデオカメラＭ２の撮影開始部１０９では、ビデオカメラＭ２の撮影情報受信部１０７で受信した撮影タイミング情報Ｔ０に基づいて撮影を開始する。
【００１６】
なお、ここでは、ビデオカメラＭ０の機器情報受信部１０２で受信するビデオカメラを２つとして説明したが、２つ以上を受信することも可能である。
【産業上の利用可能性】
【００１７】
本発明にかかるビデオカメラは、バッテリー残量とメモリー残量に合わせて複数のビデオカメラ間で連携した撮影を行うことができ、撮影を中断せずにしかも他の撮影者の必要なしに、同じ撮影設定で撮影を継続することができるので、複数のビデオカメラを用いて撮影を継続するビデオカメラ等の用途に有用である。
【符号の説明】
【００１８】
１０１    機器情報送信部
１０２    機器情報受信部
１０３    撮影可能時間算出部
１０４    特定部
１０５    撮影開始時間生成部
１０６    撮影情報送信部
１０７    撮影情報受信部
１０８    撮影設定部
１０９    撮影開始部
【図１】
2011097132.tif 000003